(57)【特許請求の範囲】
【請求項１】
支点凹部および押し込み用凹部を有するパネル状材を支持材に取り付けるためのパネル状材の取付具であって、
比較的に強度が大きい金属板を成形してなる強度部材と、比較的に弾性変形し易い金属板を成形してなる弾性部材とを有し、前記強度部材および前記弾性部材は、前記強度部材にバーリング加工により周縁に穴フランジを有するバーリング穴を形成するとともに前記穴フランジを前記弾性部材に開けられた結合穴に挿通した後、前記穴フランジを外側に開くように塑性変形して前記弾性部材の前記結合穴の周縁部をかしめることにより、互いに結合されており、かつ前記支持材に取り付けられるようになっており、
前記強度部材は前記パネル状材の前記支点凹部に侵入して該支点凹部に係合させられる支点係合部を有し、
前記弾性部材は、前記支点係合部が前記パネル状材の前記支点凹部に侵入して係合した状態で前記パネル状材の前記押し込み用凹部付近を押し付けられることにより、弾性変形して前記押し込み用凹部に侵入し、該押し込み用凹部に係合される弾性係合部を有し、
前記バーリング穴を通して釘またはネジを前記支持材に貫入させることにより前記支持材に前記強度部材および前記弾性部材を取り付けることができることを特徴とするパネル状材の取付具。
【請求項２】
前記弾性部材は、前記支点係合部が前記支点凹部に係合されるとともに前記弾性係合部が前記押し込み用凹部に係合した状態になると、前記パネル状材により前記支持材に向かって押し付けられて弾性変形した状態となり、逆に前記パネル状材に対し該パネル状材を前記支持材から離間させる方向の力を作用させる弾性押圧片を有する請求項１記載のパネル状材の取付具。
【請求項３】
前記弾性係合部は、側方から見て屈曲または湾曲している曲がり部を有し、前記パネル状材の前記押し込み用凹部付近が前記曲がり部に押し付けられ、前記弾性係合部の弾性変形によって前記曲がり部が前記パネル状材の前記押し込み用凹部付近を乗り越えて前記押し込み用凹部内に侵入することにより、前記曲がり部が前記押し込み用凹部に係合される請求項１または２記載のパネル状材の取付具。
【請求項４】
比較的に強度が大きい金属板を成形してなり、支点係合部を有する強度部材と、比較的に弾性変形し易い金属板を成形してなり、弾性係合部を有する弾性部材とを有し、前記強度部材および前記弾性部材は、前記強度部材にバーリング加工により周縁に穴フランジを有するバーリング穴を形成するとともに前記穴フランジを前記弾性部材に開けられた結合穴に挿通した後、前記穴フランジを外側に開くように塑性変形して前記弾性部材の前記結合穴の周縁部をかしめることにより、互いに結合されている取付具と、
支点凹部および押し込み用凹部を有するパネル状材とを備えてなり、
前記取付具は、前記バーリング穴を通して釘またはネジを前記支持材に貫入させることにより前記強度部材および前記弾性部材を前記支持材に取り付けられた状態で、前記パネル状材の前記支点凹部に前記支点係合部が侵入させられて係合された後、前記パネル状材の前記押し込み用凹部付近が前記弾性係合部に押し付けられることにより、前記弾性係合部が弾性変形されて前記押し込み用凹部に侵入し、該押し込み用凹部に係合されているパネル状材の取付構造。
【請求項５】
前記支点凹部および前記押し込み用凹部は、前記パネル状材の裏面側に設けられている請求項４記載のパネル状材の取付構造。
【請求項６】
前記支点凹部は前記パネル状材と平行方向に陥入する部分を有しており、この陥入する部分に前記支点係合部が侵入する請求項４または５記載のパネル状材の取付構造。
【請求項７】
前記押し込み用凹部は前記パネル状材と平行方向に陥入する部分を有しており、この陥入する部分に前記弾性係合部が侵入する請求項４，５または６記載のパネル状材の取付構造。
【請求項８】
比較的に強度が大きい金属板を成形してなる強度部材と、比較的に弾性変形し易い金属板を成形してなる弾性部材とを有し、前記強度部材および前記弾性部材は、前記強度部材にバーリング加工により周縁に穴フランジを有するバーリング穴を形成するとともに前記穴フランジを前記弾性部材に開けられた結合穴に挿通した後、前記穴フランジを外側に開くように塑性変形して前記弾性部材の前記結合穴の周縁部をかしめることにより、互いに結合されており、前記強度部材は支点係合部を有し、前記弾性部材は弾性係合部を有する取付具と、
支点凹部および押し込み用凹部を有するパネル状材とを用意し、
前記バーリング穴を通して釘またはネジを前記支持材に貫入させることにより前記取付具の前記強度部材および前記弾性部材を前記支持材に取り付けた後、前記パネル状材の前記支点凹部に前記支点係合部を侵入させて係合させ、しかる後に前記パネル状材の前記押し込み用凹部付近を前記弾性係合部に押し付けることにより、前記弾性係合部を弾性変形して前記押し込み用凹部に侵入させ、該押し込み用凹部に係合させることにより、前記パネル状材を前記取り付け金具を介して前記支持材に取り付けることを特徴とするパネル状材の取付方法。
【発明の詳細な説明】
【０００１】
【発明の属する技術分野】
本発明は、建物の化粧幕板、外装材、外装化粧板材、内壁材等のパネル状材を壁下地材等の支持材に取り付けるためのパネル状材の取付具、取付構造および取付方法に関する。
【０００２】
【従来の技術】
従来、前記のようなパネル状材を壁下地材等の鉛直方向に立ち上がる支持材に取り付ける際には、一般に、まず支持材に下側の取付具を取り付け、次にパネル状材を前記下側の取付具よりやや上方に持ち上げた後、下方にずらしながら、前記下側の取付具に前記パネル状材の下端部を上方から係合して支持させ、しかる後に前記パネル状材の上端部に上側の取付具を係合するとともにこの上側の取付具を支持材に取り付けることにより、パネル状材を前記上側および下側の取付具を介して支持材に取り付けていた。
【０００３】
【発明が解決しようとする課題】
しかしながら、前記従来のパネル状材の取付構造においては、パネル状材の取り付けに手間が掛かるという問題があった。
【０００４】
また、取付時にパネル状材を最終的な取付位置より若干上方に持ち上げる工程が必要であるので、パネル状材を最終的な取付位置より上方に持ち上げることができない場所では、施工が不可能になるという問題もあった。
【０００５】
このような問題を解決するために、本出願人は、先に特願平１０−７３１６９号において、金属板を成形してなり、支点係合部と弾性係合部とを有するパネル状材の取付具およびこの取付具を使用したパネル状材の取付構造を提案した。この提案においては、パネル状材に設けられた支点凹部に支点係合部を進入係合させた状態で、パネル状材を前記弾性係合部に押し付けると、該弾性係合部が弾性変形してパネル状材に設けられた押し込み用凹部に侵入し、該押し込み用凹部に係合されることにより、パネル状材が取付具を介して支持材に取り付けられるので、上述のような問題を解消できる。
【０００６】
しかし、この場合、取付具のパネル状材の重量を支持する部分は十分な強度を有していなければならない一方、弾性係合部は弾性変形し易いことが必要である。ところが、取付具を１枚の金属板により構成すると、十分な強度を持たせるために板厚を厚くすれば、弾性係合部が弾性変形し難くなる一方、弾性係合部が弾性変形し易くなるように弾性に富む材料を用いかつ板厚を薄くすれば、パネル状材の重量を支持する部分に十分な強度を持たせることができなくなるという問題があった。
【０００７】
本発明は、このような従来の事情に鑑みてなされたもので、本発明の１つの目的は、建物の化粧幕板、外装材、外装化粧板材、内壁材等のパネル状材の取り付けを簡単迅速に行うことができるパネル状材の取付具、取付構造および取付方法を提供することにある。
【０００８】
本発明の他の目的は、取付時にパネル状材を最終的な取付位置より上方、側方または下方に一時的に移動することができない場所でも、パネル状材を取り付けることができるパネル状材の取付具、取付構造および取付方法を提供することにある。
【０００９】
本発明の他の目的は、取付具のうちの、大きな強度が必要な部分には十分な強度を持たせる一方、弾性変形し易くすべき部分は弾性変形し易くでき、なおかつ製造コストを安くすることができ、安全性も優れたパネル状材の取付具、取付構造および取付方法を提供することにある。
【００１０】
本発明のさらに他の目的は、以下の説明から明らかになろう。
【００１１】
【課題を解決するための手段】
本発明によるパネル状材の取付具は、
支点凹部および押し込み用凹部を有するパネル状材を支持材に取り付けるためのパネル状材の取付具であって、
比較的に強度が大きい金属板を成形してなる強度部材と、比較的に弾性変形し易い金属板を成形してなる弾性部材とを有し、前記強度部材および前記弾性部材は、前記強度部材にバーリング加工により周縁に穴フランジを有するバーリング穴を形成するとともに前記穴フランジを前記弾性部材に開けられた結合穴に挿通した後、前記穴フランジを外側に開くように塑性変形して前記弾性部材の前記結合穴の周縁部をかしめることにより、互いに結合されており、かつ前記支持材に取り付けられるようになっており、
前記強度部材は前記パネル状材の前記支点凹部に侵入して該支点凹部に係合させられる支点係合部を有し、
前記弾性部材は、前記支点係合部が前記パネル状材の前記支点凹部に侵入して係合した状態で前記パネル状材の前記押し込み用凹部付近を押し付けられることにより、弾性変形して前記押し込み用凹部に侵入し、該押し込み用凹部に係合される弾性係合部を有し、
前記バーリング穴を通して釘またはネジを前記支持材に貫入させることにより前記支持材に前記強度部材および前記弾性部材を取り付けることができるものである。
【００１２】
本発明によるパネル状材の取付構造は、
比較的に強度が大きい金属板を成形してなり、支点係合部を有する強度部材と、比較的に弾性変形し易い金属板を成形してなり、弾性係合部を有する弾性部材とを有し、前記強度部材および前記弾性部材は、前記強度部材にバーリング加工により周縁に穴フランジを有するバーリング穴を形成するとともに前記穴フランジを前記弾性部材に開けられた結合穴に挿通した後、前記穴フランジを外側に開くように塑性変形して前記弾性部材の前記結合穴の周縁部をかしめることにより、互いに結合されている取付具と、
支点凹部および押し込み用凹部を有するパネル状材とを備えてなり、
前記取付具は、前記バーリング穴を通して釘またはネジを前記支持材に貫入させることにより前記強度部材および前記弾性部材を前記支持材に取り付けられた状態で、前記パネル状材の前記支点凹部に前記支点係合部が侵入させられて係合された後、前記パネル状材の前記押し込み用凹部付近が前記弾性係合部に押し付けられることにより、前記弾性係合部が弾性変形されて前記押し込み用凹部に侵入し、該押し込み用凹部に係合されているものである。
【００１３】
本発明によるパネル状材の取付方法は、
比較的に強度が大きい金属板を成形してなる強度部材と、比較的に弾性変形し易い金属板を成形してなる弾性部材とを有し、前記強度部材および前記弾性部材は、前記強度部材にバーリング加工により周縁に穴フランジを有するバーリング穴を形成するとともに前記穴フランジを前記弾性部材に開けられた結合穴に挿通した後、前記穴フランジを外側に開くように塑性変形して前記弾性部材の前記結合穴の周縁部をかしめることにより、互いに結合されており、前記強度部材は支点係合部を有し、前記弾性部材は弾性係合部を有する取付具と、
支点凹部および押し込み用凹部を有するパネル状材とを用意し、
前記バーリング穴を通して釘またはネジを前記支持材に貫入させることにより前記取付具の前記強度部材および前記弾性部材を前記支持材に取り付けた後、前記パネル状材の前記支点凹部に前記支点係合部を侵入させて係合させ、しかる後に前記パネル状材の前記押し込み用凹部付近を前記弾性係合部に押し付けることにより、前記弾性係合部を弾性変形して前記押し込み用凹部に侵入させ、該押し込み用凹部に係合させることにより、前記パネル状材を前記取り付け金具を介して前記支持材に取り付けるものである。
【００１４】
本発明においては、まず支持材に取付具を取り付ける。次に、パネル状材の支点凹部に取付具の支点係合部を侵入させた後、支点凹部と支点係合部との接触部を支点として回転するようにしてパネル状材を支持材側に押すと、該パネル状材の押し込み用凹部付近が弾性係合部に押しつけられて該弾性係合部が弾性変形して押し込み用凹部に侵入し、押し込み用凹部に係合し、これによりパネル状材が取付具を介して支持材に取り付けられる。
【００１５】
したがって、パネル状材の取付作業を簡単迅速に行うことができる。また、取付時にパネル状材を最終的な取付位置より上方、側方または下方に一時的に移動することができない場所でも、パネル状材を取り付けることが可能となる。
【００１６】
また、取付具のパネル状材の重量を支持する部分は十分な強度を有していなければならない一方、弾性係合部は弾性変形し易いことが必要である。しかし、もし取付具を１枚の金属板により構成すれば、十分な強度を持たせるために板厚を厚くすると、弾性係合部が弾性変形し難くなる一方、弾性係合部が弾性変形し易くなるように板厚を薄くすれば、パネル状材の重量を支持する部分に十分な強度を持たせることができなくなる。しかるに、本発明においては、強度部材と弾性部材とが共通の一枚の金属板から成形されるのではなく、強度部材は比較的に強度が大きい金属板から成形され、弾性部材は比較的に弾性変形し易い金属板から成形されるので、上述のような不都合を生じることがない。しかも、強度部材と弾性部材とはかしめにより結合されるので、製造コストを安くすることができる。
【００１７】
さらに、強度部材と弾性部材とを溶接、例えばスポット溶接で結合した場合には、万一溶接欠陥があると、パネル状材の取り付け後、強度部材と弾性部材とが分離してしまい、最悪の場合には、パネル状材が落下する等の事故が生じる虞がある。しかるに、本発明においては、バーリング穴を通して釘またはネジを前記支持材に貫入させて支持材に強度部材および弾性部材を取り付けるので、万一かしめ部分に不良があっても、前記釘またはネジにより強度部材と弾性部材とが共に支持材に取り付けられた状態で互いに結合され続けるので、極めて安全である。
【００１８】
【発明の実施の形態】
以下、本発明を図面に示す実施例に基づいて説明する。
【００１９】
【実施例】
図１〜１０は本発明の一実施例における取付具、図１１〜１４は前記実施例によるパネル状材の取付構造および取り付け方法を示している。
【００２０】
取付具１は、以下に詳しく説明するように強度部材２と弾性部材３とをかしめにより互いに結合してなる。前記強度部材２は、比較的に厚いステンレス鋼板または鋼板等の比較的に強度が大きい金属板をプレス加工により成形してなり、矩形状の平面状部２ａを有している。前記弾性部材３は、比較的に薄いバネ性に富んだステンレス鋼板またはバネ鋼板等の比較的に弾性変形し易い金属板を成形してなり、若干の段差を設けられて互いに平行な、それぞれ矩形状の平面状部３ａ，３ｂを有している。なお、本発明における強度部材および弾性部材の構成材料は、前記例示したものに限られることはない。
【００２１】
前記強度部材２と弾性部材３とは、次のようにして、かしめにより互いに結合されている。すなわち、図７に示されるように、弾性部材３の平面状部３ａに結合穴４を開けておく一方、強度部材２の平面状部２ａにバーリング加工により周縁に穴フランジ５を有するバーリング穴６を形成し、穴フランジ５を結合穴４に挿通した後、図８に示されるように穴フランジ５をその先端側から外側に開くようにつぶして塑性変形して弾性部材３の結合穴４の周縁部をかしめており、これにより強度部材２と弾性部材３とはそれらの平面状部２ａ，３ａを互いに重ね合わされた状態で結合されている。なお、本実施例では、図１によく示されるように、前記バーリング穴６および結合穴４によるかしめ部分を３箇所設けているが、本発明においては、前記かしめ部分は任意数とすることができる。
【００２２】
前記強度部材２の平面状部２ａの上端部には、該平面状部２ａから前方（後述する支持材７への取り付け状態において、支持材７から離間する方向）および上方へとクランク状に折り曲げられて該平面状部２ａから突出する支点係合部８が平面状部２ａに連続して設けられている。この支点係合部８の先端部付近には、該支点係合部８の一部を後方（後述する支持材７への取り付け状態において、支持材７へ近づく方向）側に若干切り起こしてなる凹部当接用突起部９が適当数形成されている。前記強度部材２の平面状部２ａの左右両側端部には、該平面状部２ａから直角に折り曲げられて前方に突出する立上げ部２０が平面状部２ａに連続して設けられている。
【００２３】
前記弾性部材３の平面状部３ｂには、適当数の取付穴１０が設けられている。これらの取付穴１０の周辺は前方に向かって若干陥没されている。また、前記弾性部材３の平面状部３ｂには、該平面状部３ｂを前方に切り起こしてなる一対の弾性押圧片１１が設けられている。さらに、前記弾性部材３の平面状部３ｂの下端部には、大略前方に突出する弾性係合部１２が平面状部３ｂに連続して設けられている。これらの弾性係合部１２の平面状部３ｂ側の部分は、側方から見て比較的に大きなカーブを描いて湾曲する湾曲部１２ａを構成している一方、先端側の部分は、側方から見てＶ字状に屈曲する曲がり部１２ｂを構成している。前記湾曲部１２ａには、該湾曲部１２ａを弾性変形し易くするための穴１３が適当数開けられている。前記曲がり部１２ｂには、該部分１２ｂの一部を突き出し加工により内側（すなわち、該曲がり部１２ｂの対向する部分側）に突出させることにより、変形制限用突起部１４が適当数形成されている。前記弾性部材３の平面状部３ａ，３ｂの左右両側端部には、該平面状部３ａ，３ｂから直角に折り曲げられて前方に突出する立上げ部１５が平面状部３ａ，３ｂに連続して設けられている。
【００２４】
本実施例におけるパネル状材１６は、建物（家屋）の化粧幕板として使用されるもので、全体に横に細長いパネル状をなしており、図１１〜１３に示されるように、このパネル状材１６の裏面には、それぞれ横方向に延びる溝状の支点凹部２２と押し込み用凹部１８とが互いに平行に設けられている。前記支点凹部１７は押し込み用凹部１８より上方に設けられている。また、前記支点凹部１７にはパネル状材１６と平行方向かつ上方に陥入する部分１７ａ、押し込み用凹部１８にはパネル状材１６と平行方向かつ下方に陥入する部分１８ａがそれぞれ設けられている。
【００２５】
次に、本実施例におけるパネル状材１６の取付方法を図１１〜１４を用いて説明する。
【００２６】
本実施例では、まず図１１に示されるように、バーリング穴６を通して釘１９を支持材７に打ち込むことにより、取付具１を支持材７の所定の位置に取り付ける（バーリング穴６を通してネジを支持材７にねじ込むことにより取り付けてもよいし、必要ならば、取付穴１０を通して釘またはネジを支持材７に貫入してもよい）。
【００２７】
次に、図１１のように、パネル状材１６の支点凹部１７のパネル状材１６と平行方向に陥入する部分１７ａに支点係合部８を侵入させた後、支点凹部１７と支点係合部８との接触部を支点として回転するようにして、パネル状材１６を支持材７側に押すと、該パネル状材１６の押し込み用凹部１８の下部側の周縁部が弾性係合部１２の曲がり部１２ｂに当接するので、弾性係合部１２が弾性変形し、図１２のように、曲がり部１２ｂが押し込み用凹部１８のパネル状材１６と平行方向に陥入する部分１８ａ内に侵入し、曲がり部１２ｂが押し込み用凹部１８に係合され、これによりパネル状材１６が取付具１を介して支持材７に取り付けられる。
【００２８】
本発明においては、上述のようにパネル状材１６の支点凹部１７に支点係合部８を侵入させた後、支点係合部８と支点凹部１７との接触部を支点として回転するようにして、パネル状材１６を支持材７に向かって押し込むだけでパネル状材１６を支持材７に取り付けることができるので、パネル状材１６の取付作業を簡単迅速に行うことができる。
【００２９】
また、障害物等の存在によりパネル状材１６を最終的な取付位置より上方に持ち上げることが不可能でも、パネル状材１６を取り付けることができる。
【００３０】
また、取付具１のパネル状材１６の重量を支持する部分は十分な強度を有していなければならない一方、弾性係合部１２は弾性変形し易いことが必要である。しかし、もし取付具１を１枚の金属板により構成することとする、十分な強度を持たせるために板厚を厚くすれば、弾性係合部１２が弾性変形し難くなる一方、弾性係合部１２が弾性変形し易くなるように弾性に富む材料を用いかつ板厚を薄くすれば、パネル状材１６の重量を支持する部分に十分な強度を持たせることができなくなるというジレンマが生じる。しかるに、本発明においては、強度部材２と弾性部材３とが共通の一枚の金属板から成形されるのではなく、強度部材２は比較的に強度が大きい金属板から成形される一方、弾性部材３は比較的に弾性変形し易い金属板から成形されるので、上述のような不都合を生じることがない。しかも、強度部材２と弾性部材３とはかしめにより結合されるので、製造コストを安くすることができる。
【００３１】
さらに、強度部材２と弾性部材３とを溶接、例えばスポット溶接で結合した場合には、万一溶接欠陥があると、パネル状材１６の取り付け後、強度部材２と弾性部材３とが分離してしまい、最悪の場合には、パネル状材１６が落下する等の事故が生じる虞がある。しかるに、本発明においては、バーリング穴６を通して釘またはネジを前記支持材７に貫入させて支持材７に強度部材２および弾性部材３を取り付ければ、万一かしめ部分に不良があっても、前記釘またはネジにより強度部材２と弾性部材３とが共に支持材７に取り付けられた状態で互いに結合され続けるので、極めて安全である。
【００３２】
また、本実施例では、支点係合部８が支点凹部１７に係合されるとともに弾性係合部１２が押し込み用凹部１８に係合され、パネル状材１６が取付具１を介して支持材７に取り付けられた状態になると、図１４によく示されるように、パネル状材１６により弾性押圧片１１が支持材７に向かって押し付けられて弾性変形した状態となり、逆に弾性押圧片１１はパネル状材１６に対し該パネル状材１６を支持材７から離間させる方向の力を作用させる。これにより、支点係合部８および弾性係合部１２が支点凹部１７および押し込み用凹部１８に常に押し付けられるので、支持材７に対するパネル状材１６のガタ止め、緩み止めを図ることができる。
【００３３】
また、本実施例では、支点凹部１７および押し込み用凹部１８はそれぞれパネル状材１６と平行方向に陥入する部分１７ａ，１８ａを有しており、この陥入する部分１７ａ，１８ａに支点係合部８および弾性係合部１２が侵入するようになっているので、一旦支点凹部１７および押し込み用凹部１８内に侵入すると、支点係合部８および弾性係合部１２はそれらの凹部１７，１８から脱出することができなくなる。したがって、パネル状材１６を取付具１を介して確実に支持材７に取り付けることができる。
【００３４】
また、本実施例では、支点係合部８のうちの押し込み用凹部１８内に侵入する部分の一部に凹部当接用突起部９が設けられているので、支点係合部８が支点凹部１７内に侵入したとき、支点係合部８の先端のみならず凹部当接用突起部９も支点凹部１７の内面に当接されるようにすることができ、これによってもパネル状材１６の取り付けの緩み、ガタ、および横方向の移動等を効果的に防止することができる。
【００３５】
また、本実施例では、弾性係合部１２の曲がり部１２ｂに変形制限用突起部１４が設けられているので、パネル状材１６を支持材７側に押し込む際に、曲がり部１２ｂがパネル状材１６に押されて変形して該曲がり部１２ｂの屈曲角度が一定以上小さくなろうとすると、変形制限用突起部１４が曲がり部１２ｂの対向する部分に当接されるので、曲がり部１２ｂが過度に大きく変形して塑性変形しないようにすることができる。
【００３６】
また、本発明における弾性係合部１２および支点係合部８の形状は、前記実施例のような形状に限定されるものではない。
【００３７】
また、前記実施例では、弾性係合部１２の曲がり部１２ｂがＶ字状に屈曲されているが、弾性係合部１２の曲がり部１２ｂをより大きなカーブを描くように湾曲させてもよい。
【００３８】
また、前記実施例においては、パネル状材１６が化粧幕板である場合の例であるが、本発明は、外装材、外装化粧板材、内壁材等の他の種のパネル状材を支持材に取り付けるパネル状材の取付具、取付構造および取付方法にも適用できるものである。
【００３９】
また、前記実施例においては、支点凹部１７および押し込み用凹部１８がパネル状材１６の裏面に設けられているが、本発明においては、支点凹部１７または（および）押し込み用凹部１８をパネル状材１６の端面に設けてもよい。
【００４０】
【発明の効果】
以上のように本発明は、
（ａ）パネル状材の取り付けを簡単迅速に行うことができる、
（ｂ）取付時にパネル状材を最終的な取付位置より上方、側方または下方に一時的に移動することができない場所でも、パネル状材を取り付けることが可能となる、
（ｃ）取付具のうちの、大きな強度が必要な部分には十分な強度を持たせる一方、弾性変形し易くすべき部分は弾性変形し易くでき、なおかつ製造コストを安くすることができる、
（ｄ）バーリング穴を通して釘またはネジを前記支持材に貫入させて支持材に強度部材および弾性部材を取り付けられるので、万一かしめ部分に不良があっても、前記釘またはネジにより強度部材と弾性部材とが共に支持材に取り付けられた状態で互いに結合され続けるので、極めて安全である、
等の優れた効果を得られるものである。
【図面の簡単な説明】
【図１】本発明の一実施例における取付具を示す正面図である。
【図２】前記取付具を示す平面図である。
【図３】前記取付具を示す側面図である。
【図４】前記取付具を示す底面図である。
【図５】前記取付具を示す背面図である。
【図６】図１のＶＩ−ＶＩ線における断面図である。
【図７】前記取付具の強度部材と弾性部材との結合作業の途中過程を示す拡大断面図である。
【図８】結合作業完了後の前記強度部材と弾性部材との結合部付近を示す拡大断面図である。
【図９】図１のＩＸ−ＩＸ線における断面図である。
【図１０】前記取付具の支点係合部を示す拡大断面図である。
【図１１】前記第実施例においてパネル状材を支持材に取り付ける過程を示す断面図である。
【図１２】前記実施例において支持材にパネル状材を取り付け完了後の状態を示す断面図である。
【図１３】前記実施例における支持材にパネル状材を取り付け完了後の状態の要部を示す拡大断面図である。
【図１４】図１２のＸＩＶ−ＸＩＶ線における弾性押圧片付近を示す拡大断面図である。
【符号の説明】
１    取付具
２    強度部材
３    弾性部材
４    結合穴
５    穴フランジ
６    バーリング穴
７    支持材
８    支点係合部
１１    弾性押圧片
１２    弾性係合部
１２ｂ  曲がり部
１６    パネル状材
１７    支点凹部
１７ａ  支点凹部の平行方向に陥入する部分
１８    押し込み用凹部
１８ａ  押し込み用凹部の平行方向に陥入する部分
【図１】
0004132352.tif 000002
【図２】
0004132352.tif 000003
【図３】
0004132352.tif 000004
【図４】
0004132352.tif 000005
【図５】
0004132352.tif 000006
【図６】
0004132352.tif 000007
【図７】
0004132352.tif 000008
【図８】
0004132352.tif 000009
【図９】
0004132352.tif 000010
【図１０】
0004132352.tif 000011
【図１１】
0004132352.tif 000012
【図１２】
0004132352.tif 000013
【図１３】
0004132352.tif 000014
【図１４】
0004132352.tif 000015